(57)【要約】【課題】検出装置のケーブル引き出し部に対するケーブル引き出し方向を変更することができるケーブルガイドおよびケーブルガイド付き検出装置を提供する。【解決手段】ケーブルガイド１０は、検出装置７０の引き出し部７３から所定方向に伸びるケーブル７１のケーブル引き出し方向を、引き出し部７３に対して変更可能なガイド部１１と、検出装置７０にガイド部１１を取り付け可能な取付部１２と、を有する。【選択図】図１
2019068920.tif 000002
【特許請求の範囲】
【請求項１】
検出装置のケーブル引き出し部から所定方向に伸びるケーブルのケーブル引き出し方向を、前記ケーブル引き出し部に対して変更可能なガイド部と、
前記検出装置に前記ガイド部を取り付け可能な取付部と、を有し、
前記検出装置に着脱可能なケーブルガイド。
【請求項２】
前記ガイド部は一対の爪部を有し、
前記一対の爪部は、前記ケーブルの直径または幅より小さい距離を挟んで対向する位置に形成されている請求項１記載のケーブルガイド。
【請求項３】
前記ガイド部は、前記取付部に対して回動可能に構成されている請求項１または請求項２に記載のケーブルガイド。
【請求項４】
前記ガイド部は、前記取付部に対して回動可能な回動部に設けられており、
前記回動部は、少なくとも一つの突部を有している請求項１から請求項３のいずれか一項に記載のケーブルガイド。
【請求項５】
前記ガイド部は、前記取付部に対して、少なくとも１８０度回動可能に構成されている請求項３または請求項４に記載のケーブルガイド。
【請求項６】
前記ケーブルと前記ケーブルガイドとを接続可能な接続具を更に備える、請求項１から請求項５のいずれか一項に記載のケーブルガイド。
【請求項７】
請求項１から請求項６のいずれか一項に記載のケーブルガイドと、
前記ケーブルガイドが着脱可能な検出装置と、を備える、ケーブルガイド付き検出装置。
【請求項８】
回動されることによりケーブル引き出し方向を変更可能なガイド部が、検出装置の筐体に一体的に設けられた取付部に支持されている、ケーブルガイド付き検出装置。
【請求項９】
前記検出装置は、呼吸気検出装置である請求項７または請求項８に記載のケーブルガイド付き検出装置。
【発明の詳細な説明】
【技術分野】
【０００１】
本開示は、装置から引き出されるケーブルの進行方向をガイドするケーブルガイドおよびケーブルガイド付き検出装置に関する。
【背景技術】
【０００２】
生体（被検者）に装着されて生体情報を検出する検出装置には、長尺なケーブルが用いられる。このケーブルを被検者に固定する形状保持具の文献がある（例えば、特許文献１）。特許文献１の形状保持具は、第１の柔軟性を有する第１部分、および第１の柔軟性よりも低い第２の柔軟性を有する第２部分を有し、ケーブルに装着される。そして、被検者の耳などに沿う形状に屈曲変形させた第２部分を被検者に固定させて、第２部分を装着したケーブルを被検者に固定する。
【先行技術文献】
【特許文献】
【０００３】
【特許文献１】特開２０１５−７３７８４号公報
【発明の概要】
【発明が解決しようとする課題】
【０００４】
近年の検出装置の小型化などにより、生体情報を検出する検出装置の配置場所も多様化している。この多様化に対応して、ケーブル引き出し部（検出装置と検出装置から引き出されるケーブルとの接続部位）から先のケーブル引き出し方向を、検出装置のケーブル引き出し部に対して変更したい場合がある。
しかし、特許文献１の形状保持具は、ケーブル引き出し部から遠い位置を第２部分としている。このため、特許文献１の第２部分を屈曲変形させた形状保持具を用いても、ケーブル引き出し部に対するケーブル引き出し方向を変えることはできなかった。
【０００５】
そこで、本開示は、検出装置のケーブル引き出し部に対するケーブル引き出し方向を変更することができるケーブルガイドおよびケーブルガイド付き検出装置を提供することを目的とする。
【課題を解決するための手段】
【０００６】
上記目的を達成するために、本開示のケーブルガイドは、
検出装置のケーブル引き出し部から所定方向に伸びるケーブルのケーブル引き出し方向を、前記ケーブル引き出し部に対して変更可能なガイド部と、
前記検出装置に前記ガイド部を取り付け可能な取付部と、を有し、
前記検出装置に着脱可能である。
【０００７】
上記構成によれば、検出装置にケーブルガイドを装着することで、検出装置の引出部から所定方向に伸びるケーブルの引き出し方向を変更することができる。
【０００８】
また、本開示のケーブルガイド付き検出装置は、
上記ケーブルガイドと、
前記ケーブルガイドが着脱可能な検出装置と、を備える。
【０００９】
上記構成によれば、ケーブル引き出し方向を変更可能なケーブルガイド付き検出装置を提供することができる。
【００１０】
また、本開示のケーブルガイド付き検出装置は、
回動されることによりケーブル引き出し方向を変更可能なガイド部が、検出装置の筐体に一体的に設けられた取付部に支持されている。
【００１１】
上記構成によれば、ケーブル引き出し方向を所望の方向に変更することができるケーブルガイド付き検出装置を提供することができる。
【発明の効果】
【００１２】
本開示のケーブルガイドおよびケーブルガイド付き検出装置によれば、検出装置のケーブル引き出し部に対するケーブル引き出し方向を変更することができる。
【図面の簡単な説明】
【００１３】
【図１】第一実施形態に係るケーブルガイド付き検出装置およびケーブルガイドの上面図である。
【図２】図１のケーブルガイドの斜視図である。
【図３】図１のケーブルガイド付き検出装置およびケーブルガイドの斜視図である。
【図４】第二実施形態に係るケーブルガイド付き検出装置およびケーブルガイドの斜視図である。
【図５】図４のケーブルガイドの回動部を示す斜視図である。
【図６】図４のケーブルガイド付き検出装置およびケーブルガイドの左側面図である。
【発明を実施するための形態】
【００１４】
以下、本開示の実施形態を図面を参照しつつ説明する。なお、本明細書中および図面中で使用される「上」「下」「左」「右」「前」「後」は、部材同士の位置関係を示すために便宜上用いるものであり、実際の使用状態における方向を限定するものではない。
【００１５】
（第一実施形態）
本開示の第一実施形態に係るケーブルガイド付き検出装置およびケーブルガイドについて、図１〜図３を参照して説明する。
図１〜図３に示すように、ケーブルガイド付き検出装置１００は、ケーブルガイド１０と、検出装置７０と、を備えている。ケーブルガイド１０は、検出装置７０に対して着脱可能に設けられている。
【００１６】
検出装置７０は、検出本体部７２と、検出本体部７２からケーブル７１が引き出される引き出し部７３と、を有している。検出装置７０としては、例えば、被検者の呼吸気に含まれる二酸化炭素の濃度を光学的に測定可能な呼吸気検出装置などが挙げられる。検出本体部７２には、例えば、二酸化炭素の濃度を測定する呼吸気濃度センサの発光部、受光部等が設けられている。
【００１７】
ケーブル７１は、検出本体部７２で検出された信号を外部の装置へ伝送する。ケーブル７１は、一般的には、検出装置７０にガイド部１１（ケーブルガイド１０）が取り付けられていないとき、引き出し部７３から真っすぐ前方向（所定方向の一例）へ伸び出すように形成されている。ケーブル７１は、その断面形状が円形、長円形、楕円形、四角形などであり、屈曲可能な柔軟性を有する材質で形成されている。引き出し部７３は、検出本体部７２と検出本体部７２から引き出されるケーブル７１とを接続する接続部位として機能する。
【００１８】
ケーブルガイド１０は、検出装置７０から伸び出しているケーブル７１の引き出し方向をガイドするガイド部１１と、ガイド部１１を検出装置７０に取り付けることが可能な取付部１２と、を有している。
【００１９】
ケーブルガイド１０のガイド部１１は、検出装置７０の引き出し部７３から所定方向に伸びるケーブル７１の引き出し方向を、引き出し部７３に対して変更可能である。本形態のガイド部１１は、対向する一対の側壁によって構成され、変更される引き出し方向に曲がる円弧状に形成されている。側壁間の距離は、ケーブル７１の直径または幅よりも僅かに大きく形成されている。ガイド部１１は、側壁間にケーブル７１を保持して、ケーブル７１の引き出し方向をガイドする。
【００２０】
本形態のガイド部１１は、二股に分かれる分岐部１３により、引き出し部７３から前方向へ伸びるケーブル７１の引き出し方向を、左方向または右方向の二方向へ変更して引き出すことができるように構成されている。すなわち、ケーブル７１が伸び出している前方向を０度としたとき、±９０度の二方向へ引き出し方向を変更することができるように構成されている。
【００２１】
ガイド部１１には、一対の爪部１４ａ，１４ｂが対向して設けられている。本形態では、一対の爪部１４ａ，１４ｂは、ケーブル７１がガイド部１１内から外部へ抜け出すガイド部１１の出口に設けられている。対向する爪部１４ａ，１４ｂ間の距離は、ケーブル７１の直径または幅よりも僅かに小さく形成されている。一対の爪部１４ａ，１４ｂは、ガイド部１１からケーブル７１が外れない状態で、ケーブル７１をガイドする。
なお、一対の爪部１４ａ，１４ｂ間の距離は、ケーブル７１を両側から挟持可能な距離に形成してもよい。
【００２２】
ケーブルガイド１０の取付部１２は、検出装置７０が嵌合される凹部１５を有している。凹部１５には、検出本体部７２の前方側の端部が嵌合される検出装置保持部１５ａと、引き出し部７３が嵌合される引出部保持部１５ｂとが設けられている。検出装置保持部１５ａと引出部保持部１５ｂとはケーブルガイド１０の前後方向へ連続して形成されており、引出部保持部１５ｂがガイド部１１側に配置されている。引出部保持部１５ｂは、ガイド部１１へと続く分岐部１３（図１参照）に連続するように設けられている。
【００２３】
検出装置保持部１５ａの内側には嵌合された検出本体部７２を保持する一対の係止部１６ａ，１６ｂが対向して設けられている。なお、検出装置７０の検出本体部７２には、左右両側部に上記係止部１６ａ，１６ｂに係合する凸状の被係止部７４ａ，７４ｂが設けられている（図３参照）。
【００２４】
取付部１２の凹部１５内に検出本体部７２の一部と引き出し部７３とが嵌合されることで、ガイド部１１が取付部１２を介して検出装置７０に取り付けられる。また、嵌合された検出装置７０の引き出し部７３から伸びるケーブル７１が、ガイド部１１の所望の側壁間に押し込まれて保持されることで、ケーブル７１の引き出し方向が所望の方向（本例では左右のいずれか）へ変更される。
【００２５】
なお、本形態では、検出装置７０に対して、ケーブルガイド１０を検出装置７０の下側から取り付けるように構成されているが、例えば、検出装置７０の上側からケーブルガイド１０を取り付ける構成としてもよい。
【００２６】
このような構成のケーブルガイド付き検出装置１００およびケーブルガイド１０によれば、検出装置７０にケーブルガイド１０を装着することで、検出装置７０の引き出し部７３から所定方向（本例では前方向）に伸びるケーブル７１の引き出し方向を変更することができる。
例えば、ケーブル７１の引き出し方向を左右のいずれかの方向として検出装置７０を使用したい場合には、検出装置７０にケーブルガイド１０を装着して、ガイド部１１によってケーブル７１の引き出し方向を左右いずれかに変更することができる。また、ケーブル７１の引き出し方向を前方向としたままで検出装置７０を使用したい場合には、検出装置７０からケーブルガイド１０を取り外した状態とすればよい。
なお、ガイド部１１によって引き出し方向を変更する向きは、左右に限らない。上、下、左、右、および任意の傾斜した向きのいずれか一つまたは複数であってもよい。
【００２７】
また、ガイド部１１は一対の爪部１４ａ，１４ｂを有し、一対の爪部１４ａ，１４ｂはケーブル７１の直径または幅より小さい距離を挟んで対向する位置に形成されている。このため、ガイド部１１は、ケーブル７１をケーブルガイド１０から外れにくい状態でガイドすることができる。
なお、ケーブル７１を両側から挟持可能な距離に形成した一対の爪部１４ａ，１４ｂによれば、ケーブル７１を爪部１４ａ，１４ｂ間に挟み込んだ状態で、ケーブル７１をガイドすることができる。
【００２８】
また、ケーブルガイド１０を用いずに検出装置７０を使用した場合に、ケーブル７１に意図せずに強い引っ張り力が加わってしまうと、ケーブル７１が引き出し部７３において急峻な角度（例えば直角）で屈曲してしまう場合がある。
ガイド部１１は円弧状の側壁によって構成され、ケーブル７１はガイド部１１の円弧状に沿ってガイドされる。このため、ケーブル７１に強い引っ張り力が加わった場合でも、ケーブル７１は、ガイド部１１の円弧の曲率半径より小さい曲率半径で屈曲することが防がれ、ケーブル７１が急峻な角度で屈曲してしまうことを防ぐことができる。
【００２９】
また、ケーブルガイド１０を異なる種類の検出装置に対して着脱可能な形状としておけば、一つのケーブルガイド１０を用いて複数種類の検出装置に対してそのケーブル引き出し方向を変更することができる。
【００３０】
検出装置７０のケーブル７１とケーブルガイド１０とは、ストラップまたはフックなどの接続具を用いて接続しておくようにしてもよい。接続具は、例えば、一端を環状に形成してケーブル７１の外周にスライド可能に取り付け、他端をケーブルガイド１０（ガイド部１１または取付部１２）に固定したストラップである。
この接続具により、検出装置７０からケーブルガイド１０を外したときに、ケーブルガイド１０が行方不明になることを防止することができる。
【００３１】
（第二実施形態）
本開示の第二実施形態に係るケーブルガイド付き検出装置およびケーブルガイドについて、図４〜図６を参照して説明する。なお、第一実施形態と同様の構成については同一の符号を付し、その説明は適宜省略する。
図４〜図６に示すように、ケーブルガイド付き検出装置２００は、ケーブルガイド１０Ａと、検出装置７０Ａと、を備えている。
【００３２】
ケーブルガイド１０Ａは、検出装置７０Ａの検出本体部７２（筐体の一例）に一体的に設けられた取付部１２Ａと、取付部１２Ａに対して回動可能なガイド部１１Ａと、を有している。
検出装置７０Ａは、取付部１２Ａが一体的に設けられている点で第一実施形態の検出装置７０と相違するが、その他の構成および機能については検出装置７０と同様である。
【００３３】
取付部１２Ａは、検出装置７０Ａの下端部に、検出装置７０Ａの長さ方向（前後方向）に沿って、検出装置７０Ａから前方へ伸びるように設けられている。取付部１２Ａは、検出装置７０Ａの引き出し部７３の下側に引き出し部７３と対向して設けられ、前方へと伸びている。本形態では、取付部１２Ａは、検出装置７０Ａの左右方向の幅と同じ幅の板状に形成されている。取付部１２Ａの先端部の上面には、回動部３０を支持する円柱状の軸部材２１が立設されている。
【００３４】
回動部３０は、円盤状板部３１と、円盤状板部３１の中央部に形成された孔部３２と、円盤状板部３１の周縁近傍に形成されたガイド部１１Ａと、円盤状板部３１の外周部に形成された突部３３と、を有している。
【００３５】
孔部３２には取付部１２Ａの軸部材２１が挿入される。回動部３０は取付部１２Ａに支持され、軸部材２１を回動軸として取付部１２Ａに対して回動可能に構成されている。
【００３６】
ガイド部１１Ａは、円盤状板部３１上に立設されたガイド壁によって構成されている。検出装置７０Ａの引き出し部７３から伸びるケーブル７１は、ガイド部１１Ａを通過するように配置される。ガイド部１１Ａにおけるガイド壁の間隔Ｄは、ケーブル７１の直径または幅よりも僅かに大きく形成されている。ガイド壁の内面（孔部３２を向く側の面）は、ケーブル７１を引き出す方向へ曲がる円弧状に形成されている。
【００３７】
突部３３には第一突部３３ａと、第二突部３３ｂと、小突部３３ｃと、が含まれる。第一突部３３ａおよび第二突部３３ｂは、ガイド部１１Ａを構成するガイド壁の外面に沿って上下方向に形成されている。本形態の第一突部３３ａおよび第二突部３３ｂは２本ずつ形成されているが、突部３３は２本ずつに限らない。突部３３は、少なくとも１本形成されていればよい。小突部３３ｃは、円盤状板部３１の外周面に沿って上下方向に成されている。第一突部３３ａおよび第二突部３３ｂの長さは、小突部３３ｃの長さよりも長く形成されている。第一突部３３ａ、第二突部３３ｂおよび小突部３３ｃは、操作者（検出装置７０Ａを用いて測定を行う検査者など）の指（爪）に引っ掛かる程度の突出高さで形成されている。
【００３８】
ガイド部１１Ａは、取付部１２Ａに対して、少なくとも１８０度回動可能に構成されている。ガイド部１１Ａは、例えば、取付部１２Ａが伸びる方向、すなわち検出装置７０Ａの引き出し部７３が伸びる前方向を０度としたときに、±９０度の範囲で回動可能に構成されている。回動部３０は、回動角度を所定の角度毎（例えば１５度毎）に切り替えて変更できるように、角度切替機構(不図示）が設けられていてもよい。
【００３９】
検出装置７０Ａの引き出し部７３から伸びるケーブル７１は、ガイド部１１Ａに通して配置される。その状態で、第一突部３３ａと第二突部３３ｂを二本の指で挟んで回動部３０を回動させることにより、ケーブル７１の引き出し方向は、引き出し部７３に対して、所望の方向へ変更される。
なお、小突部３３ｃを１本の指で押して、回動部３０を回動させてもよい。
【００４０】
このような構成のケーブルガイド付き検出装置２００およびケーブルガイド１０Ａによれば、ガイド部１１Ａが検出装置７０Ａの取付部１２Ａに対して回動可能に構成されているので、ケーブル７１の引き出し方向を所望の方向に変更することができる。
【００４１】
また、回動部３０の外周部に少なくとも一つの突部３３（３３ａ，３３ｂ，３３ｃ）が形成されているので、簡易に、ケーブル７１の引き出し方向を所望の角度に変更することができる。
【００４２】
また、ガイド部１１Ａは、取付部１２Ａに対して１８０度回動可能に構成されているので、例えば、引き出し部７３が伸びる方向を０度として、＋９０度から−９０度までの任意の角度にケーブル７１の引き出し方向を変更することができる。
【００４３】
なお、本形態では、図４に示すように、軸部材２１が上下軸方向に設けられ、回動部３０が水平面上で回動するように構成されているが、回動部３０の回動の構成はこれに限定されない。例えば、軸部材２１を前後軸方向に向けて取付部１２Ａに設け、回動部３０を前後軸と直交する平面（上下左右の軸を含む平面）上で回動させるように構成してもよい。また、軸部材２１を左右軸方向に向けて取付部１２Ａに設け、回動部３０を左右軸と直交する平面（上下前後の軸を含む平面）上で回動させるように構成してもよい。
【００４４】
本形態では取付部１２Ａを検出装置７０Ａと一体的に設ける構成としているが、これに限定されない。例えば、取付部１２Ａを検出装置７０Ａとは別体として構成し、上記第一実施形態のケーブルガイド１０と同様に、取付部１２Ａに検出装置が嵌合される凹部を形成して、回動可能なガイド部１１Ａを有するケーブルガイド１０Ａが検出装置７０に着脱可能な構成としてもよい。すなわち、回動されることによりケーブル７１の引き出し方向を変更可能なガイド部１１Ａと、検出装置７０にガイド部１１Ａを取り付け可能な取付部１２Ａとを有し、検出装置７０Ａに着脱可能なケーブルガイド１０Ａとして構成されていてもよい。
【００４５】
また、本開示は、上述した実施形態に限定されず、適宜、変形、改良等が自在である。その他、上述した実施形態における各構成要素の材質、形状、寸法、数値、形態、数、配置場所等は、本開示を達成できるものであれば任意であり、限定されない。
【符号の説明】
【００４６】
１０，１０Ａ  ケーブルガイド、    １１，１１Ａ  ガイド部、    １２，１２Ａ  取付部、    １４ａ，１４ｂ  爪部、    １５  凹部、    １５ａ  検出装置保持部、    １５ｂ  引出部保持部、    １６ａ，１６ｂ  係止部、    ２１  軸部材、    ３０  回動部、    ３１  円盤状板部、    ３２  孔部、    ３３  突部、    ３３ａ  第一突部、    ３３ｂ  第二突部、    ３３ｃ  小突部、    ７０，７０Ａ  検出装置、    ７１  ケーブル、    ７２  検出本体部（筐体）、    ７３  引き出し部、    ７４ａ，７４ｂ  被係止部、    １００、２００  ケーブルガイド付き検出装置
【図１】
2019068920.tif 000003
【図２】
2019068920.tif 000004
【図３】
2019068920.tif 000005
【図４】
2019068920.tif 000006
【図５】
2019068920.tif 000007
【図６】
2019068920.tif 000008